(57)【要約】【課題】被施療者の足を挟むときに足の前後位置が変動することを抑制するマッサージ機を提供する。【解決手段】マッサージ機１は、被施療者１５の足１７の左右両側部に対向して配置され、分離した一対の側方エアバッグ６３と、被施療者１５の足裏に対向して配置され、足１７の前後位置の変動を抑制する補助ローラー４１と、を備えている。側方エアバッグ６３が膨張して被施療者１５の足１７の左右両側部を挟み揉みする際に、補助ローラー４１が被施療者１５の足裏を押圧することにより、足１７の前後位置の変動を抑制するように構成した。【選択図】図７
2018082764.tif 000002
【特許請求の範囲】
【請求項１】
被施療者の足の左右両側部を挟み揉みするマッサージ機であって、
被施療者の足の左右両側部に対向して配置され、分離した一対の側方エアバッグと、
被施療者の足裏に対向して配置され、足の前後位置の変動を抑制する下方支持部材と、を備え、
前記側方エアバッグが膨張して被施療者の足の左右両側部を挟み揉みする際に、前記下方支持部材が被施療者の足裏を押圧することにより、足の前後位置の変動を抑制するように構成したことを特徴とするマッサージ機。
【請求項２】
請求項１に記載のマッサージ機であって、
前記被施療者の足の甲に対向して配置された前方中央部エアバッグをさらに備えたことを特徴とするマッサージ機。
【請求項３】
請求項１または２に記載のマッサージ機であって、
前記側方エアバッグは、被施療者の足の後部における左右両側部に対向して配置され、
前記被施療者の足先の側部を覆う前方側部エアバッグをさらに備えたことを特徴とするマッサージ機。
【請求項４】
請求項１〜３のいずれか１項に記載のマッサージ機であって、
前記下方支持部材は、回転可能なローラー体であることを特徴とするマッサージ機。
【発明の詳細な説明】
【技術分野】
【０００１】
本発明は、マッサージ機に関し、さらに詳しくは、足のマッサージ機に関する。
【背景技術】
【０００２】
従来から、足の左右両側部をエアバッグで挟み揉みするマッサージ機が開発されている（例えば、特許文献１参照）。
【先行技術文献】
【特許文献】
【０００３】
【特許文献１】特開２００６−３０４８６４号公報
【発明の概要】
【発明が解決しようとする課題】
【０００４】
しかしながら、前記特許文献１では、被施療者の足を挟むときに足の前後位置が変動し、足の左右両側部を効率的に挟み揉みすることが困難となるおそれがある。
【０００５】
そこで、本発明は、被施療者の足を挟むときに足の前後位置が変動することを抑制するマッサージ機を提供することを目的とする。
【課題を解決するための手段】
【０００６】
本発明に係るマッサージ機は、被施療者の足の左右両側部を挟み揉みするマッサージ機である。被施療者の足の左右両側部に対向して配置され、分離した一対の側方エアバッグと、被施療者の足裏に対向して配置され、足の前後位置の変動を抑制する下方支持部材と、を備えている。
【発明の効果】
【０００７】
本発明に係るマッサージ機によれば、一対の側方エアバッグが分離しているため、それぞれの側方エアバッグが膨張したとき、かかと部分を側方エアバッグが前側に押し出すことがなくなる。また、下方支持部材が被施療者の足裏を押圧して足の前後位置の変動を抑制する。従って、施療時における足の前後移動を抑制して、足の左右両側部を効率的に挟み揉みすることができる。
【図面の簡単な説明】
【０００８】
【図１】図１は、本発明の実施形態に係るマッサージ機および前記マッサージ機で施療している被施療者を示す斜視図である。
【図２】図２は、図１におけるマッサージ機を示す斜視図であり、カバーを外した状態を示している。
【図３】図３は、図２を上側から見た平面図である。
【図４】図４は、図３のうち、ブーツを取り外した状態を示す平面図である。
【図５】図５は、図４の斜視図である。
【図６】図６は、図２，３の左側ブーツを左側方から見た側面図である。
【図７】図７は、図６の左側ブーツを下側から見た底面図である。
【発明を実施するための形態】
【０００９】
以下、本発明の実施形態を図面とともに詳述する。なお、図面において、被施療者の足を基準として前側をＦＲ、後側をＲＲ、右側をＲＨ、左側をＬＨと示す。
【００１０】
図１〜図５に示すように、本発明の実施形態に係るマッサージ機１は、外周側を覆うケース３と、ケース３の内部に収容されたローラー機構部５と、ローラー機構部５の上側に配設されたブーツ７と、を備えている。
【００１１】
前記ケース３は、図１，２に示すように、下側に配置されたケース本体９と、ケース本体９の上側を覆うカバー１１とから構成される。ケース本体９は、底面と底面の周縁から上方に延びる側面１３とから一体に形成されている。カバー１１には、被施療者１５の足１７の挿入口１９が左右一対に設けられている。
【００１２】
前記ローラー機構部５はケース本体９に収容されており、図４，５に示すように、３つのヘリカルギアと、ヘリカルギアに結合された駆動軸２１と、ヘリカルギアの左右両側において駆動軸２１に固定されたローラーとを備えている。
【００１３】
前記３つのヘリカルギアは、ケース本体９の左右方向の中央部に前後方向に沿って配置されており、前後に隣接するヘリカルギア同士は互いに歯合されている。具体的には、３つのヘリカルギアは、前側ギア２３、中央側ギア２５および後側ギア２７である。
【００１４】
前記ローラーは、最も後側に配置された後側ローラー２９と、前後方向中央側の中央側ローラー３１と、最も前側に配置された前側ローラー３３とからなる。後側ローラー２９は、左右方向の両端部が一対の大径部２９ａ，２９ｂであり、一対の大径部２９ａ，２９ｂの間が小径部２９ｃに形成されている。小径部２９ｃには、複数の凸部３５が形成されている。中央側ローラー３１は、左右方向の両端部が一対の大径部３１ａ，３１ｂであり、一対の大径部３１ａ，３１ｂの間が小径部３１ｃに形成されている。小径部３１ｃには複数の凸部３７が形成されている。また、小径部３１ｃには左右方向に延びる支持軸３９が配設され、支持軸３９に補助ローラー４１（下方支持部材、ローラー体）が回転可能な状態で支持されている。前側ローラー３３には、複数の凸部４３が形成されている。
【００１５】
前記後側ローラー２９は、被施療者１５の足１７の後部のかかと近傍部に対応し、中央側ローラー３１は土踏まず近傍部に対応し、前側ローラー３３は足先近傍部に対応している。
【００１６】
以下に、ローラー機構部５の動きを説明する。なお、前提として、ローラー機構部５には、図示しないモーターが搭載され、モーターには回転軸が設けられている。この回転軸にはウォームが形成されており、ウォームは前後方向中央側の中央側ギア２５に噛み合っている。
【００１７】
まず、図示しないモーターを作動させて回転軸およびウォームが回転すると、ウォームに噛み合っている中央側ギア２５に回転力が伝わる。中央側ギア２５は、前側ギア２３および後側ギア２７の双方に噛み合っているため、中央側ギア２５と共に前側ギア２３および後側ギア２７が回転する。
【００１８】
次に、中央側ギア２５、前側ギア２３および後側ギア２７には、駆動軸２１を介して中央側ローラー３１、前側ローラー３３および後側ローラー２９が結合されているため、これらの中央側ローラー３１、前側ローラー３３および後側ローラー２９が同時に回転する。
【００１９】
そして、図５に示すように、補助ローラー４１（ローラー体）が最も上側に配置されたときにモーターの作動を止め、この状態において、後述するエアバッグを膨張させて被施療者１５の足１７の左右両側部を挟み揉みする。
【００２０】
前記ブーツ７は、図２，６，７に示すように、左側ブーツ５１および右側ブーツ５３からなる。具体的には、ケース本体９に締結具を介して取り付けられる取付台５５と、取付台５５に一体に設けられたブーツ本体５７と、ブーツ本体５７の内周側に配設されたエアバッグとを備えている。なお、図２，３，６に示すように、ポンプ５９から延びるホース６１がエアバッグに接続されている。
【００２１】
ブーツ本体５７の後部の内周側には、左右一対の側方エアバッグ６３が留めピン６６を介して取り付けられている。側方エアバッグ６３は、被施療者１５の足１７の左右両側部に対向して配置されている。具体的には、被施療者１５の足１７の後部であるかかと近傍部に対応している。側方エアバッグ６３は、内周側から第１エアバッグ６５、第２エアバッグ６７および第３エアバッグ６９が重なって構成されている。第１エアバッグ６５と第２エアバッグ６７とは互いに連通している。第２エアバッグ６７と第３エアバッグ６９とは互いに連通している。以上より、第１エアバッグ６５、第２エアバッグ６７および第３エアバッグ６９は、全て連通している。なお、第１エアバッグ６５における前後方向の後部には、内周側に突き出る突出部７１が設けられている。図６に示すように、第３エアバッグ６９にホース６１が接続されているため、ポンプ５９から排出されたエアーは、ホース６１を介して第３エアバッグ６９に流入したのち、第２エアバッグ６７および第１エアバッグ６５に送られるため、第１エアバッグ６５、第２エアバッグ６７および第３エアバッグ６９はともに膨張する。
【００２２】
図６，７に示すように、ブーツ本体５７の前部の左右方向中央部の内周側には、平面視が矩形状に形成された前方中央部エアバッグ７３が配設されている。前方中央部エアバッグ７３は、被施療者１５の足１７の甲に対向して配置されており、側面視において後方かつ上方に斜めに延びている。なお、本実施形態では、前方中央部エアバッグ７３は、２枚のエアバッグが重なって配置され、互いに連通している。図６に示すように、前方中央部エアバッグ７３にホース６１が接続されているため、ポンプ５９から排出されたエアーは、ホース６１を介して前方中央部エアバッグ７３に流入し、前方中央部エアバッグ７３が膨張する。
【００２３】
図６，７に示すように、ブーツ本体５７の前部の左右両側の内周側には、前方側部エアバッグ７５が配設されている。前方側部エアバッグ７５は、被施療者１５の足先から足１７の前後方向中央部までの範囲の側部に対向して配置されている。図６に示すように、前方側部エアバッグ７５にホース６１が接続されているため、ポンプ５９から排出されたエアーは、ホース６１を介して前方側部エアバッグ７５に流入し、前方側部エアバッグ７５が膨張する。
【００２４】
次いで、本発明の実施形態に係るマッサージ機１の作動手順を説明する。
【００２５】
まず、図１に示すように、カバー１１に設けられた挿入口１９を介してブーツ内に被施療者１５の足１７を挿入する。そして、図示しないスイッチをＯＮにすると、ローラー機構部５およびエアバッグが作動する。
【００２６】
具体的には、ローラー機構部５においては、図示しないモーターを作動させ、中央側ギア２５と共に前側ギア２３および後側ギア２７が回転し、中央側ローラー３１、前側ローラー３３および後側ローラー２９が同時に回転する。そして、図５に示すように、補助ローラー４１（下方支持部材、ローラー体）が最も上側に配置されたときにモーターの作動を止める。
【００２７】
また、ローラー回転と同時にポンプ５９を作動させ、側方エアバッグ６３、前方中央部エアバッグ７３および前方側部エアバッグ７５を膨張させる。以上のように、側方エアバッグ６３の膨張によって被施療者１５の足１７の後部であるかかと近傍部を挟み揉みする。その際、前方中央部エアバッグ７３の膨張によって、被施療者１５の足１７の甲を後側に押圧するため、被施療者１５の足１７の前後位置の変動が抑制される。また、前方側部エアバッグ７５の膨張によって、被施療者１５の足先の側部を左右から押圧するため、被施療者１５の足１７の前後位置の変動が抑制される。さらに、補助ローラー４１（下方支持部材、ローラー体）が最も上側に配置されているため、被施療者１５の足裏の土踏まずを上方に向けて押圧し、足１７の前後位置の変動が抑制される。
【００２８】
以下に、本実施形態による作用効果を説明する。
【００２９】
（１）本実施形態に係るマッサージ機１は、被施療者１５の足１７の左右両側部を挟み揉みするマッサージ機１である。被施療者１５の足１７の左右両側部に対向して配置され、分離した一対の側方エアバッグ６３と、被施療者１５の足裏に対向して配置され、足１７の前後位置の変動を抑制する補助ローラー４１（下方支持部材、ローラー体）と、を備えている。側方エアバッグ６３が膨張して被施療者１５の足１７の左右両側部を挟み揉みする際に、補助ローラー４１が被施療者１５の足裏を押圧することにより、足１７の前後位置の変動を抑制するように構成した。
【００３０】
左右の側方エアバッグ６３が繋がって一体に形成されていると、側方エアバッグ６３が膨らんだときに、足１７の後端部であるかかと部分を側方エアバッグ６３が前側に押し出してしまって足１７の前後位置が変動し、足１７の左右両側部を効率的に挟み揉みすることが困難である。
【００３１】
しかし、本実施形態では、一対の側方エアバッグ６３が分離しているため、それぞれの側方エアバッグ６３が膨張したとき、かかと部分を側方エアバッグ６３が前側に押し出すことがなくなる。また、補助ローラー４１が被施療者１５の足裏の土踏まず部分を押圧して足１７の前後位置の変動を抑制する。
【００３２】
以上より、本実施形態では、施療時における足１７の前後移動を抑制して、足１７の左右両側部を効率的に挟み揉みすることができる。
【００３３】
（２）被施療者１５の足１７の甲に対向して配置された前方中央部エアバッグ７３をさらに備えた。
【００３４】
前方エアバッグが膨らむと、足１７の甲を後方に向けて押圧するため、施療時における足１７の前後移動を更に抑制して、足１７の左右両側部をより効率的に挟み揉みすることができる。
【００３５】
（３）側方エアバッグ６３は、被施療者１５の足１７の後部における左右両側部に対向して配置され、被施療者１５の足先の側部を覆う前方側部エアバッグ７５をさらに備えた。
【００３６】
前方側部エアバッグ７５が膨らむと、足先の側部を左右両側から押圧するため、施療時における足１７の前後移動を更に抑制して、足１７の左右両側部をより効率的に挟み揉みすることができる。
【００３７】
（４）下方支持部材は、回転可能な補助ローラー４１（ローラー体）であるため、被施療者１５の足裏と補助ローラー４１との摩擦を効果的に抑制することができる。
【００３８】
ところで、本発明は前述の実施形態に例をとって説明したが、本実施形態に限ることなく本発明の要旨を逸脱しない範囲で他の実施形態を各種採用することができる。
【００３９】
例えば、前述した実施形態においては、モーターのウォームは中央側ギア２５に噛み合っている態様とした。しかし、中央側ギア２５と後側ギア２７とが歯合しないように互いに離間させ、中央側ギア２５および後側ギア２７の双方にウォームが噛み合うようにしてもよい。この場合、ウォームが回転すると、中央側ギア２５および後側ギア２７の双方が同時に回転する。また、前側ギア２３は中央側ギア２５に噛み合っているため、中央側ギア２５によって前側ギア２３が回転する。
【符号の説明】
【００４０】
１  マッサージ機
１５  被施療者
１７  足
４１  補助ローラー（下方支持部材、ローラー体）
６３  側方エアバッグ
７３  前方中央部エアバッグ
７５  前方側部エアバッグ
【図１】
2018082764.tif 000003
【図２】
2018082764.tif 000004
【図３】
2018082764.tif 000005
【図４】
2018082764.tif 000006
【図５】
2018082764.tif 000007
【図６】
2018082764.tif 000008
【図７】
2018082764.tif 000009